(57)【要約】【課題】高温環境下で作業者の体表面付近に保持した際に冷感持続時間が長い保冷体を提供する。【解決手段】保冷体１００に、保冷剤１０と、この保冷剤１０を包み込む内袋２０と、内袋２０を収容する外袋３０と、真珠を破砕した真珠破砕物にて保冷剤１０を包むように層状に設けたパール層４０と、を設ける。【選択図】図１
2014172943.tif 000002
【特許請求の範囲】
【請求項１】
真珠又は真珠を破砕した真珠破砕物を含有することを特徴とする保冷体。
【請求項２】
保冷剤と、
前記保冷剤を包み込むように収容する包装材と、
前記保冷剤を包む層状に前記真珠破砕物を配したパール層と、
を備えることを特徴とする保冷体。
【請求項３】
真珠又は真珠を破砕した真珠破砕物が混合された保冷剤と、
前記保冷剤を包み込むように収容する包装材と、
を備えることを特徴とする保冷体。
【請求項４】
前記真珠破砕物は、前記保冷剤の中で均一に分散している
ことを特徴とする請求項３に記載の保冷体。
【発明の詳細な説明】
【技術分野】
【０００１】
本発明は、保冷体、及び保冷体の製造方法に関する。
【背景技術】
【０００２】
従来、各種の保冷剤を有する保冷体が知られている。例えば、特許文献１には、所定の比率で水と塩（塩化ナトリウム、塩化カリウム、硫酸ナトリウムの少なくとも１種類）と高吸水性ポリマー（架橋構造ポリアクリル酸ナトリウム）を配合した保冷剤が、長時間保冷できる特性を持つことについて開示されている。
【先行技術文献】
【特許文献】
【０００３】
【特許文献１】特開２００８−１５６５８２号公報
【発明の概要】
【発明が解決しようとする課題】
【０００４】
特許文献１には、保冷剤の保冷温度と保冷時間の計測を行うにあたり、温度計を試料サンプルの中心部に設けられた孔に挿入して、丁度孔の中央部の所の温度を計測している。
【０００５】
しかしながら、保冷体を人体の冷却に用いる場合、使用者の冷感に最も大きく影響するのは、保冷剤の中央部ではなく、保冷体の表面付近の温度であるが、特許文献１に記載されている保冷剤の表面付近の温度は不明である。
【０００６】
ここで、福島県の原子力発電所における除染作業、製鉄所での作業、炎天下での各種作業等、高温環境下で作業員が作業せざるをえない場合がある。このような場合、保冷体を体表面付近に保持することにより、作業員の健康を維持し、熱射病や日射病を予防し、少しでも環境を快適化し、又、体温の過上昇を防止することが推奨される。
【０００７】
一般的に、使用者が冷感を感じるためには、保冷体の表面付近の温度と外気温との温度差が１０℃以上あることが必要であると言われる。以下では、外気温と１０℃以上の温度差を維持できる時間を冷感持続時間と呼ぶことにする。
【０００８】
現在市販中の保冷体は、上記冷感持続時間が短く、上述したような各種の高温環境化での使用には適さなかった。
【０００９】
本発明は、前記課題に鑑みてなされたもので、高温環境下で作業者の体表面付近に保持した際に、冷感持続時間が長い保冷体、及び保冷体の製造方法を提案することを目的とする。
【課題を解決するための手段】
【００１０】
本発明の態様の１つは、真珠を破砕した真珠破砕物を含有することを特徴とする保冷体である。
【００１１】
このような保冷体は、他の物品（例えば、保冷ベスト、首冷却マフラー等の冷却具）に組み込まれた状態で実施されたり、他の方法とともに実施されたりする等の各種の態様を含む。
【発明の効果】
【００１２】
本発明によれば、高温環境下で作業者の体表面付近に保持した際に冷感持続時間が長い保冷体を提供することができる。
【図面の簡単な説明】
【００１３】
【図１】第１の実施形態に係る保冷体の断面を模式的に示した図である。
【図２】保冷体の熱特性に係る試験結果と試験方法を示す図である。
【図３】保冷体の熱特性に係る試験結果と試験方法を示す図である。
【図４】保冷体の熱特性に係る試験結果と試験方法を示す図である。
【図５】保冷体の熱特性に係る試験結果と試験方法を示す図である。
【図６】保冷体の熱特性に係る試験結果と試験方法を示す図である。
【図７】保冷体の熱特性に係る試験結果と試験方法を示す図である。
【図８】第２の実施形態に係る保冷体の断面を模式的に示した図である。
【発明を実施するための形態】
【００１４】
以下、下記の順序に従って本発明を説明する。
（１）第１の実施形態：
（２）第２の実施形態：
（３）まとめ：
【００１５】
（１）第１の実施形態： 
図１は保冷体の断面を模式的に示した図である。同図に示すように、保冷体１００は、保冷剤１０と、この保冷剤１０を包み込む内袋２０と、内袋２０を収容する外袋３０と、パール層４０と、を備える。
【００１６】
保冷剤１０は、冷凍庫等で冷却することによって蓄冷可能な素材であれば様々なものが使用可能であり、例えば、水を吸収させた高吸水性ポリマーを用いることができる。より具体的には、重量％で、２０〜２５％の吸水性ポリマー、７５〜８０％の水、０．０１％の防腐剤、を全体として１００％となる割合で成分を調整した保冷剤が例示される。
【００１７】
内袋２０は、断熱と冷感持続時間を長くする機能を有し、例えば、外面側から順に、アルミ箔層２０ａ、ポリエチレン層２０ｂとする。
【００１８】
外袋３０は、内袋２０を物理的に保護する機能を有する。外袋３０は、例えば、ビニール袋を用い、好ましくは、衝撃強度に優れているナイロンとポリエチレンの複合素材を用いる。
【００１９】
パール層４０は、保冷剤１０を包み込むように層状に真珠破砕物を配した層であり、図１では、内袋２０と外袋３０の間に設けてある。すなわち、保冷体１００は、真珠を粉砕した真珠破砕物を含有している。
【００２０】
なお、パール層４０を設ける位置はこれに限るものではなく、例えば、アルミ箔層２０ａやポリエチレン層２０ｂの外面又は内面、若しくは外袋３０の内面の少なくとも１つに設けることができる。
【００２１】
パール層４０は、アルミ箔層２０ａやポリエチレン層２０ｂの外面又は内面、若しくは外袋３０の内面の少なくとも１つに真珠破砕物を満遍なく塗布することにより設けることができる。この場合、真珠破砕物の塗布前に、塗布面に対して接着剤等を塗布しておけば、塗布面に真珠破砕物を定着できる。むろん、真珠破砕物を定着させるための層を、アルミ箔層２０ａやポリエチレン層２０ｂ、外袋３０とは別途に設けても構わない。また、パール層４０は、２層以上設けても構わない。
【００２２】
このように、パール層４０で保冷剤１０を包み込むことにより、後述の試験結果に示すように、パール層４０を備えない保冷体に比べて、冷感持続時間が飛躍的に長くなる。
【００２３】
なお、真珠破砕物の原料としては、貝から採取される真珠であれば、淡水パールと海水パールの何れを用いてもよい。真珠破砕物の粒径は、特に限定されるものではないが、後述の試験に用いた保冷体では、粒径が約１０〜３０μｍの粉末状の真珠破砕物を用いた。
【００２４】
図２〜図７は、保冷体の性能試験の試験結果と試験条件を示す図である。図２〜図７の試験に用いた保冷体はパール層の有無を除いて同じ物であり、図２〜図４の試験に用いた保冷体は前記パール層を含まず、図５〜図７の試験に用いた保冷体は前記パール層を１層含むものである。図２〜図７の性能試験は下記の条件で行った。
【００２５】
［試験方法］
（１）試料を−２０℃の恒温器に約１６時間入れ、冷却する。
（２）恒温器から試料を取り出し、速やかに３５℃の恒温恒湿器へ移す。
（３）試料の下に熱電対を取り付けた３分後を試験開始とし、温度の経時変化を測定する。
（４）試験は位置を入れ替えて４回測定し、そのデータを平均した値を試験結果とする。
温湿度：３５±２℃×５０±５％ＲＨ
測定間隔：１分
測定時間：１２０分
【００２６】
なお、図２〜図７に示す試験では、保冷体の製品品質のバラツキを考慮し、図２〜図４に示す試験については、図４に写真で示す２つ保冷体（丸数字１，２）を用い、図５〜図７に示す試験については、図７に写真で示す２つ保冷体（丸数字１，２）を用いた。なお、試験項目・結果の欄に記載する丸数字１，２は、それぞれ丸数字１、２の各保冷体に対応する。各保冷体が含む保冷剤は重量で３５ｇとしてある。
【００２７】
パール層を含まない保冷体は、図２，３に示すように、冷感持続時間が約７２分であるのに対し、パール層を設けた保冷体は、図５，６に示すように、冷感持続時間が１２０分以上である。すなわち、保冷剤を包み込む包装材にパール層を設けることにより、保冷体の冷感持続時間が大幅に向上することが示された。
【００２８】
（２）第２の実施形態： 
図８は、第２の実施形態に係る保冷体２００の構造を示す模式的な断面図である。なお、同図において、上述した第１の実施形態に係る保冷体１００と共通する部分には同一の符号を付して、以下では説明を省略する。同図に示す保冷体２００は、パール層４０を備えず、保冷剤１０に代えて保冷剤２１０を備えている。
【００２９】
保冷剤２１０は、上述した第１の実施形態に係る保冷剤１０と同様の保冷剤に、真珠の粉末を混合したものである。真珠破砕物は、望ましくは、保冷剤の中で略均一に分散するように点在させる。真珠破砕物を混合した保冷剤２１０は、吸水性ポリマーとの相乗効果により、真珠破砕物を混合していない保冷剤に比べて冷感持続時間が向上する。
【００３０】
むろん、内袋２０や外袋３０に、上述した第１の実施形態と同様のパール層４０を設けてもよい。保冷体２００にパール層４０を設けることにより、保冷体２００の冷感持続時間が更に向上する。
【００３１】
なお、以上説明した保冷体２００においては、保冷剤２１０に真珠破砕物を混合してあるが、必ずしも真珠を破砕する必要は無く、破砕前の真珠を用いても構わない。すなわち、破砕前の真珠を上述した第１の実施形態に係る保冷剤１０と同様の保冷剤の中に混合しても、冷感持続時間は向上する。
【００３２】
（３）まとめ： 
第１の実施形態に係る保冷体１００は、保冷剤１０と、この保冷剤１０を包み込む内袋２０と、内袋２０を収容する外袋３０と、真珠を破砕した真珠破砕物を保冷剤１０を包むように層状に設けたパール層４０と、を備えている。この保冷体１００は、パール層４０を備えない保冷体に比べて冷感持続時間が長くなる。よって、高温環境下で作業者の体表面付近に保持するような用途に好適に用いることができる。
【００３３】
また、第２の実施形態に係る保冷体２００は、真珠を破砕した真珠破砕物を混入した保冷剤２１０と、この保冷剤１０を包み込む内袋２０と、内袋２０を収容する外袋３０と、を備えている。この保冷体２００は、真珠破砕物を保冷剤に混入していない保冷体に比べて冷感持続時間が長くなる。よって、高温環境下で作業者の体表面付近に保持するような用途に好適に用いることができる。
【００３４】
なお、本発明は上述した実施形態に限られず、上述した実施形態の中で開示した各構成を相互に置換したり組み合わせを変更したりした構成、公知技術並びに上述した実施形態の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【００３５】
１０…保冷剤、２０…内袋、２０ａ…アルミ箔層、２０ｂ…ポリエチレン層、３０…外袋、４０…パール層、１００…保冷体、２００…保冷体、２１０…保冷剤
【図１】
2014172943.tif 000003
【図２】
2014172943.tif 000004
【図３】
2014172943.tif 000005
【図５】
2014172943.tif 000006
【図６】
2014172943.tif 000007
【図８】
2014172943.tif 000008
【図４】
2014172943.tif 000009
【図７】
2014172943.tif 000010
【手続補正書】
【提出日】平成25年7月5日(2013.7.5)
【手続補正１】
【補正対象書類名】図面
【補正対象項目名】図２
【補正方法】変更
【補正の内容】
【図２】
2014172943.tif 000011
【手続補正２】
【補正対象書類名】図面
【補正対象項目名】図３
【補正方法】変更
【補正の内容】
【図３】
2014172943.tif 000012
【手続補正３】
【補正対象書類名】図面
【補正対象項目名】図４
【補正方法】変更
【補正の内容】
【図４】
2014172943.tif 000013
【手続補正４】
【補正対象書類名】図面
【補正対象項目名】図５
【補正方法】変更
【補正の内容】
【図５】
2014172943.tif 000014
【手続補正５】
【補正対象書類名】図面
【補正対象項目名】図６
【補正方法】変更
【補正の内容】
【図６】
2014172943.tif 000015
【手続補正６】
【補正対象書類名】図面
【補正対象項目名】図７
【補正方法】変更
【補正の内容】
【図７】
2014172943.tif 000016